(57)【要約】【課題】ＦＰＣに対する保護性を高めることができ、更に、ＦＰＣコネクタにおける接続信頼性を高めることもできる液晶表示ユニットを提供すること。【解決手段】一端が液晶ディスプレイパネル１１に接続されると共に他端がＬＣＤケース１３の底壁部１３ａを挿通して底壁部１３ａの外面に対向配置されるＬＣＤ制御用回路基板２０の内表面２１ｂ上のＦＰＣコネクタ４２に接続されるＦＰＣ１９を備え、底壁部１３ａの外面には、ＬＣＤ制御用回路基板２０上のケーブル押さえ手段４２２に向かって突出した規制リブ１３８を備え、該規制リブ１３８の先端がケーブル押さえ手段４２２のケーブル開放位置への移動を規制する。【選択図】図２
2014115474.tif 000002
【特許請求の範囲】
【請求項１】
液晶ディスプレイパネルと、該液晶ディスプレイパネルの裏面側を収容する樹脂製のＬＣＤケースと、前記液晶ディスプレイパネルの裏面を覆う前記ＬＣＤケースの底壁部の外面に対向配置されて前記液晶ディスプレイパネルの動作を制御するＬＣＤ制御用回路基板と、一端が前記液晶ディスプレイパネルに接続されると共に他端が前記ＬＣＤケースの前記底壁部を挿通して前記ＬＣＤ制御用回路基板上のＦＰＣコネクタに接続されるＦＰＣと、を備える液晶表示ユニットであって、
前記ＦＰＣコネクタは、
前記ＬＣＤケースの前記底壁部と対向する前記ＬＣＤ制御用回路基板の内表面に搭載されるコネクタ本体であって、前記ＬＣＤケースの前記底壁部に向かって露出したケーブル接続面を有すると共に、該ケーブル接続面には、前記ＦＰＣの端部に露出する接続端子パターンを重ね合わせる接続端子が配列されたコネクタ本体と、
前記コネクタ本体に回動可能に結合されて、回動動作によりケーブル押さえ位置とケーブル開放位置とに切り替え可能なケーブル押さえ手段であって、前記ケーブル押さえ位置では、前記ケーブル接続面に載置された前記ＦＰＣの上に被さって、前記接続端子パターンが前記接続端子に導通した状態に前記ＦＰＣを押さえ、前記ケーブル開放位置では、前記ケーブル接続面上の前記ＦＰＣから離間する方向に回動移動して前記ＦＰＣを前記ケーブル接続面から離脱可能にするケーブル押さえ手段と、
を備え、
前記ＬＣＤケースの前記底壁部は、対向配置される前記ＬＣＤ制御用回路基板上の前記ケーブル押さえ手段に向かって突出した規制リブを備え、該規制リブは先端が前記ケーブル押さえ位置にある前記ケーブル押さえ手段に対峙して前記ケーブル押さえ手段の前記ケーブル開放位置への移動を規制する、
ことを特徴とする液晶表示ユニット。
【請求項２】
請求項１に記載の液晶表示ユニットにおいて、
前記ＬＣＤケースの前記底壁部の外面と前記ＬＣＤ制御用回路基板の前記内表面とが略同一平面上に隣接して並ぶように、前記液晶ディスプレイパネルに前記ＬＣＤケースを組み付けた組立体である液晶ディスプレイユニットと前記ＬＣＤ制御用回路基板とを隣接させて敷き並べた展開状態の時には、前記ＦＰＣは、略平面状に展開して先端が前記内表面上のＦＰＣコネクタに接続され、
前記展開状態から前記液晶ディスプレイユニットと前記ＬＣＤ制御用回路基板とを閉じ合わせると、前記ＦＰＣは、前記液晶ディスプレイユニットの裏面に敷設されている部位の上に前記ＬＣＤ制御用回路基板の前記内表面の上に敷設されている部位が折り重なって、前記液晶ディスプレイユニットと前記ＬＣＤ制御用回路基板との間に収容されることを特徴とする液晶表示ユニット。
【発明の詳細な説明】
【技術分野】
【０００１】
本発明は、液晶表示ユニットに関する。
【背景技術】
【０００２】
図６は、下記特許文献１に開示された液晶表示ユニットを示している。
この液晶表示ユニット１００は、車両に搭載されて走行状態等の情報を表示するもので、液晶ディスプレイパネル１１０と、この液晶ディスプレイパネル１１０の外周を覆う金属製の筐体１２０と、ＬＣＤ制御用回路基板１３０と、アース端子１４０と、を備えている。
【０００３】
液晶ディスプレイパネル１１０は、光透過性を有した拡散板１１１が裏面に重ねられた状態で、箱状のＬＣＤケース１１２に収容される。ＬＣＤケース１１２は、合成樹脂製である。
【０００４】
また、液晶ディスプレイパネル１１０からは、ＬＣＤ制御用回路基板１３０と電気的な接続を果たすためのＦＰＣ１１５が導出している。このＦＰＣ１１５の先端１１５ａは、ＬＣＤ制御用回路基板１３０の外表面１３０ａに搭載されているＦＰＣコネクタ１６０に接続される。
【０００５】
筐体１２０は、液晶ディスプレイパネル１１０の表面の外周を覆う金属板製のベゼル（枠状フレーム）である。
【０００６】
ＬＣＤ制御用回路基板１３０は、液晶ディスプレイパネル１１０の裏面を覆うＬＣＤケース１１２の底板１１２ａに対向配置される。このＬＣＤ制御用回路基板１３０は、液晶ディスプレイパネル１１０の動作の制御に必要な各種の電子部品が搭載されていて、液晶ディスプレイパネル１１０の動作を制御する。また、ＬＣＤ制御用回路基板１３０は、筐体１２０を接地するＧＮＤパターン１５０を有している。
【０００７】
アース端子１４０は、静電気の帯電に起因するノイズの発生を防止するために、筐体１２０をＧＮＤパターン１５０に接続する。特許文献１の場合、アース端子１４０は、筐体１２０に一体形成された端子片で、先端に締結部１４１を有している。この締結部１４１は、ねじ止め用のねじ挿通孔１４１ａを有している。
【０００８】
アース端子１４０は、締結部１４１をＬＣＤ制御用回路基板１３０のＧＮＤパターン１５０に形成された取付孔１５０ａにねじ止めすることで、ＧＮＤパターン１５０に導通接続された状態になる。
【先行技術文献】
【特許文献】
【０００９】
【特許文献１】特開２０１０−２７１３８１号公報
【発明の概要】
【発明が解決しようとする課題】
【００１０】
ところで、特許文献１の液晶表示ユニット１００では、ＦＰＣ１１５がＬＣＤ制御用回路基板１３０の外表面１３０ａに引き出されるため、ＦＰＣ１１５に外部機材が接触するおそれがあり、ＦＰＣ１１５に対する保護性が低いという問題がある。
【００１１】
また、ＦＰＣコネクタ１６０として、ＦＰＣ１１５の先端１１５ａを載置するケーブル接続面を有したコネクタ本体と、ケーブル押さえ位置とケーブル開放位置とに回動可能に前記コネクタ本体に設けられて前記ケーブル押さえ位置に移動した時にケーブル接続面に載置されたＦＰＣをケーブル接続面に押さえるケーブル押さえ手段と、を備える形式のＦＰＣコネクタが知られている。この形式のＦＰＣコネクタが使用される場合には、ケーブル押さえ手段が不用意にケーブル開放位置に移動しないような対策を施して、ＦＰＣコネクタにおける接続信頼性を高めることも要求されている。
【００１２】
そこで、本発明の目的は、上記課題を解消することに係り、液晶ディスプレイパネルとＬＣＤ制御用回路基板とを接続するＦＰＣに対する保護性を高めることができ、更に、ＦＰＣが接続されるＦＰＣコネクタにおける接続信頼性を高めることもできる液晶表示ユニットを提供することにある。
【課題を解決するための手段】
【００１３】
本発明の前述した目的は、下記の構成により達成される。
（１）  液晶ディスプレイパネルと、該液晶ディスプレイパネルの裏面側を収容する樹脂製のＬＣＤケースと、前記液晶ディスプレイパネルの裏面を覆う前記ＬＣＤケースの底壁部の外面に対向配置されて前記液晶ディスプレイパネルの動作を制御するＬＣＤ制御用回路基板と、一端が前記液晶ディスプレイパネルに接続されると共に他端が前記ＬＣＤケースの前記底壁部を挿通して前記ＬＣＤ制御用回路基板上のＦＰＣコネクタに接続されるＦＰＣと、を備える液晶表示ユニットであって、
前記ＦＰＣコネクタは、
前記ＬＣＤケースの前記底壁部と対向する前記ＬＣＤ制御用回路基板の内表面に搭載されるコネクタ本体であって、前記ＬＣＤケースの前記底壁部に向かって露出したケーブル接続面を有すると共に、該ケーブル接続面には、前記ＦＰＣの端部に露出する接続端子パターンを重ね合わせる接続端子が配列されたコネクタ本体と、
前記コネクタ本体に回動可能に結合されて、回動動作によりケーブル押さえ位置とケーブル開放位置とに切り替え可能なケーブル押さえ手段であって、前記ケーブル押さえ位置では、前記ケーブル接続面に載置された前記ＦＰＣの上に被さって、前記接続端子パターンが前記接続端子に導通した状態に前記ＦＰＣを押さえ、前記ケーブル開放位置では、前記ケーブル接続面上の前記ＦＰＣから離間する方向に回動移動して前記ＦＰＣを前記ケーブル接続面から離脱可能にするケーブル押さえ手段と、
を備え、
前記ＬＣＤケースの前記底壁部は、対向配置される前記ＬＣＤ制御用回路基板上の前記ケーブル押さえ手段に向かって突出した規制リブを備え、該規制リブは先端が前記ケーブル押さえ位置にある前記ケーブル押さえ手段に対峙して前記ケーブル押さえ手段の前記ケーブル開放位置への移動を規制する、
ことを特徴とする液晶表示ユニット。
【００１４】
（２）  上記（１）に記載の液晶表示ユニットにおいて、
前記ＬＣＤケースの前記底壁部の外面と前記ＬＣＤ制御用回路基板の前記内表面とが略同一平面上に隣接して並ぶように、前記液晶ディスプレイパネルに前記ＬＣＤケースを組み付けた組立体である液晶ディスプレイユニットと前記ＬＣＤ制御用回路基板とを隣接させて敷き並べた展開状態の時には、前記ＦＰＣは、略平面状に展開して先端が前記内表面上のＦＰＣコネクタに接続され、
前記展開状態から前記液晶ディスプレイユニットと前記ＬＣＤ制御用回路基板とを閉じ合わせると、前記ＦＰＣは、前記液晶ディスプレイユニットの裏面に敷設されている部位の上に前記ＬＣＤ制御用回路基板の前記内表面の上に敷設されている部位が折り重なって、前記液晶ディスプレイユニットと前記ＬＣＤ制御用回路基板との間に収容されることを特徴とする液晶表示ユニット。
【００１５】
上記（１）の構成によれば、液晶ディスプレイパネルから導出したＦＰＣの先端が接続されるＬＣＤ制御用回路基板のＦＰＣコネクタは、ＬＣＤ制御用回路基板の内表面に装備されている。従って、液晶ディスプレイパネルとＬＣＤ制御用回路基板とを接続するＦＰＣは、互いに対向する液晶ディスプレイパネルとＬＣＤ制御用回路基板との間に収容され、ＬＣＤ制御用回路基板の外表面側に露出しないため、ＦＰＣに対する保護性を高めることができる。
【００１６】
また、ＦＰＣコネクタにおいてＦＰＣの先端をコネクタ本体のケーブル接続面に押さえるケーブル押さえ手段は、ＬＣＤ制御用回路基板が液晶ディスプレイパネルの裏面を覆うＬＣＤケースの底壁部の外面に結合された状態では、ＬＣＤケースの底壁部に突設された規制リブによって、ケーブル開放位置への移動が規制される。そのため、不用意にケーブル押さえ手段がケーブル開放位置へ移動することを防止して、ＦＰＣコネクタにおける接続信頼性を高めることもできる。
【００１７】
上記（２）の構成によれば、ＬＣＤケースの底壁部の外面とＬＣＤ制御用回路基板の内表面とが略同一平面上に隣接して並ぶように液晶ディスプレイユニットとＬＣＤ制御用回路基板とを隣接させて敷き並べた展開状態で、液晶ディスプレイパネルから導出しているＦＰＣを前記内表面上のＦＰＣコネクタに接続し、その後、展開状態から液晶ディスプレイユニットとＬＣＤ制御用回路基板とを閉じ合わせると、ＦＰＣの液晶ディスプレイユニットの裏面に敷設されている部位の上にＬＣＤ制御用回路基板の内表面の上に敷設されているＦＰＣの部位が折り重なって、ＦＰＣが液晶ディスプレイユニットとＬＣＤ制御用回路基板との間に収容された組立状態になる。即ち、面倒な手間をかけずに、ＦＰＣを液晶ディスプレイユニットとＬＣＤ制御用回路基板との間に収容することができ、組立時の作業を容易にすることができる。
【００１８】
以上、本発明について簡潔に説明した。更に、以下に説明される発明を実施するための形態（以下、「実施形態」という。）を添付の図面を参照して通読することにより、本発明の詳細は更に明確化されるであろう。
【発明の効果】
【００１９】
本発明による液晶表示ユニットによれば、液晶ディスプレイパネルとＬＣＤ制御用回路基板とを接続するＦＰＣに対する保護性を高めることができ、更に、ＦＰＣが接続されるＦＰＣコネクタにおける接続信頼性を高めることもできる。
【図面の簡単な説明】
【００２０】
【図１】図１は本発明に係る液晶表示ユニットの斜視図である。
【図２】図２は図１に示した液晶表示ユニットの展開図である。
【図３】図３は図２に示したＬＣＤ制御用回路基板上のＦＰＣコネクタのケーブル押さえ手段がケーブル開放位置に回動している状態の斜視図である。
【図４】図４は一実施形態のＬＣＤケースに突設された規制リブが、ＦＰＣコネクタのケーブル押さえ手段をケーブル押さえ位置に位置規制している状態の拡大斜視図である。
【図５】図５は図４のＡ−Ａ断面図である。
【図６】図６は従来の液晶表示ユニットの分解斜視図である。
【発明を実施するための形態】
【００２１】
以下、本発明に係る液晶表示ユニットの好適な実施形態について、図面を参照して詳細に説明する。
【００２２】
図１〜図５は本発明に係る液晶表示ユニットの一実施形態を示したもので、図１は一実施形態の液晶表示ユニットの斜視図、図２は図１に示した液晶表示ユニットの展開図、図３は図２に示したＬＣＤ制御用回路基板上のＦＰＣコネクタのケーブル押さえ手段がケーブル開放位置に回動している状態の斜視図、図４は一実施形態のＬＣＤケースに突設された規制リブが、ＦＰＣコネクタのケーブル押さえ手段をケーブル押さえ位置に位置規制している状態の拡大斜視図、図５は図４のＡ−Ａ断面図である。
【００２３】
この一実施形態の液晶表示ユニット３０は、車両のダッシュボードに配置されるコンビネーションメータに組み込まれて、例えば、速度、エンジン回転数、走行距離、燃費、ギヤポジションなどの走行状態を示す各種情報の表示を行う。
【００２４】
一実施形態の液晶表示ユニット３０は、図１に示すように、液晶ディスプレイユニット１０と、該液晶ディスプレイユニット１０の裏面に着脱可能に取り付けられるＬＣＤ制御用回路基板２０と、アース端子６１と、を備える。
【００２５】
以下、液晶表示ユニット３０の構成部品について、詳述する。
液晶ディスプレイユニット１０は、画像を表示する表示面１１ａを有した液晶ディスプレイパネル１１と、該液晶ディスプレイパネル１１の裏面側及び外周を覆う箱型のＬＣＤケース１３と、このＬＣＤケース１３の外側から液晶ディスプレイパネル１１の外周及び裏面を覆う金属製の筐体１４と、を備えている。
【００２６】
液晶ディスプレイパネル１１の裏面には、図示していないが、液晶を照明するバックライトが配置されている。箱型のＬＣＤケース１３は、樹脂製である。このＬＣＤケース１３は、バックライトの外側から液晶ディスプレイパネル１１の裏面を覆う底壁部１３ａ（図２参照）と、液晶ディスプレイパネル１１の外周を覆う側壁部１３ｂ（図１参照）と、を備えている。
【００２７】
ＬＣＤケース１３の底壁部１３ａには、ＬＣＤ制御用回路基板２０を取り付けるための２つの取付孔１３１と、２つの位置決めピン１３２と、２つの係止爪１３３と、規制リブ１３８と、が一体に装備される。これらの取付孔１３１、位置決めピン１３２、係止爪１３３、規制リブ１３８は、いずれも、後述の底板１６に形成された切欠１６１から外方に露出する。
【００２８】
２つの取付孔１３１は、ＬＣＤ制御用回路基板２０をねじ止めするための孔で、雄ねじ（不図示）が螺合する雌ねじが形成されている。２つの取付孔１３１は、ＬＣＤケース１３の矩形の底面の一方の対角に装備されている。
【００２９】
２つの位置決めピン１３２は、太径のボス部１３２ａの中心に細径のピン本体１３２ｂを突設した構造で、ＬＣＤケース１３の矩形の底面の他方の対角に装備されている。それぞれの位置決めピン１３２は、ＬＣＤ制御用回路基板２０に貫通形成された位置決め孔２５２にピン本体１３２ｂを挿通することで、ＬＣＤ制御用回路基板２０を位置決めする。
【００３０】
２つの係止爪１３３は、２つの位置決めピン１３２により液晶ディスプレイユニット１０の裏面にＬＣＤ制御用回路基板２０を位置決めした時に、図１に示すように、ＬＣＤ制御用回路基板２０の縁に係合して、該ＬＣＤ制御用回路基板２０を仮止めする。
【００３１】
底壁部１３ａの規制リブ１３８は、ＬＣＤ制御用回路基板２０上のＦＰＣコネクタ４２と対向する位置に突設されている。更に詳しく説明すると、この規制リブ１３８は、底壁部１３ａに対向配置されるＬＣＤ制御用回路基板２０上のケーブル押さえ手段４２２に向かって突出している。この規制リブ１３８は、図４及び図５に示すように、先端１３８ａが後述のケーブル押さえ位置Ｐ１にあるケーブル押さえ手段４２２に対峙して、ケーブル押さえ手段４２２のケーブル開放位置Ｐ２（図３参照）への移動を規制する。
【００３２】
また、規制リブ１３８は、ＦＰＣ１９の先端１９ａのＦＰＣコネクタ４２への接続が不完全の場合には、ＬＣＤ制御用回路基板２０を液晶ディスプレイユニット１０の裏面に組み付けた際にＦＰＣコネクタ４２と干渉して、ＬＣＤ制御用回路基板２０の組み付けを不能にすると共に、接続不良を検知させる。
【００３３】
また、規制リブ１３８は、ＦＰＣ１９の先端１９ａをコネクタ本体４２１のケーブル接続面４２１ａに押さえるケーブル押さえ手段４２２がケーブル開放位置Ｐ２へ移動することを規制し、常時、接続安定性を保つ。
【００３４】
金属製の筐体１４は、図２に示すように、ＬＣＤケース１３の底壁部１３ａの裏面（外面）を覆う金属製の底板１６と、ＬＣＤケース１３の外側から液晶ディスプレイパネル１１の周囲を覆う金属製のベゼル１８と、を備えている。本実施形態の場合、底板１６とベゼル１８は、別体である。
【００３５】
底板１６は、図２に示すように、前述の取付孔１３１、位置決めピン１３２、係止爪１３３を外方に露出させる切欠１６１を有している。
【００３６】
また、底板１６の中央には、液晶ディスプレイユニット１０とＬＣＤ制御用回路基板２０とを電気的に接続するためのＦＰＣ(Flexible Printed Circuit)１９が引き出されている。このＦＰＣ１９は、液晶ディスプレイパネル１１から導出されていて、先端１９ａは、ＦＰＣコネクタ４２によりＬＣＤ制御用回路基板２０に接続される。
【００３７】
ＦＰＣ１９の底板１６上に敷設される部位１９１は、粘着性の取り付けテープ１７０と押さえ爪１３７とで、底板１６に面接触した状態に固定される。本実施形態の場合、ＦＰＣ１９の底板１６上に敷設される部位１９１には、電子部品１９２が搭載されている。
【００３８】
ＦＰＣ１９の先端１９ａは、底板１６の外側に張り出しており、図２に示すように、液晶ディスプレイユニット１０に隣接する状態に平面状に敷き並べたＬＣＤ制御用回路基板２０上のＦＰＣコネクタ４２に接続される。
【００３９】
ＦＰＣ１９の先端１９ａのＬＣＤ制御用回路基板２０側の面には、後述するＦＰＣコネクタ４２上の接続端子４２１ｂに接続する複数の接続端子パターン（不図示）が、露出状態に配列されている。また、ＬＣＤ制御用回路基板２０とは逆側に位置する面には、図３に示すように、樹脂製の保護板１９ｃが貼付されている。この保護板１９ｃは、先端１９ａを剛性の高い平板状に維持する。
【００４０】
ＦＰＣ１９の先端１９ａの不図示の接続端子パターンは、後述するＦＰＣコネクタ４２のケーブル接続面４２１ａに先端１９ａを重ね合わせることで、接続端子４２１ｂと導通接続される。
【００４１】
底板１６の外側に張り出したＦＰＣ１９の部位１９３は、ＬＣＤ制御用回路基板２０を液晶ディスプレイユニット１０の裏面に取り付けた際に、図２の破線Ｌ１の位置でＦＰＣ１９の底板１６上に敷設される部位１９１の上に折り返される。即ち、底板１６の外側に張り出しＦＰＣ１９の部位１９３は、ＦＰＣ１９の底板１６上に敷設される部位１９１の上に折り重なる形態で、液晶ディスプレイユニット１０とＬＣＤ制御用回路基板２０との間に収容される。
【００４２】
ベゼル１８は、金属板のプレス成形品で、図１に示すように、液晶ディスプレイパネル１１の表示面１１ａの周囲を縁取る前縁枠部１８１と、ＬＣＤケース１３の側壁部１３ｂの外側を覆う外周枠部１８２と、を備えている。
【００４３】
ベゼル１８の外周枠部１８２のうち、ＦＰＣ１９の折り返し部１９ｂと対向する位置には、図１に示すように、ＦＰＣ覆い部１８２ａが設けられている。このＦＰＣ覆い部１８２ａは、ＦＰＣ１９の折り返し部１９ｂの外側を覆うように、周囲の外周枠部１８２よりも、液晶ディスプレイユニット１０の厚さ方向（図１の矢印Ｘ１側）に長く形成されている。
【００４４】
本実施形態の場合、底板１６とベゼル１８とは接触部を有していて、電気的に同電位に維持される。
【００４５】
ＬＣＤ制御用回路基板２０は、液晶ディスプレイパネル１１の裏面を覆う筐体１４の底板１６に対向配置され、前記液晶ディスプレイパネル１１の動作を制御する基板である。
【００４６】
本実施形態の場合、ＬＣＤ制御用回路基板２０は、その正面視寸法が前記液晶ディスプレイユニット１０の正面視寸法と略同一に設定されている。即ち、図２において、液晶ディスプレイユニット１０の幅寸法Ｗ１とＬＣＤ制御用回路基板２０の幅寸法Ｗ２とは略等しく設定されている。また、図２において、液晶ディスプレイユニット１０の長さ寸法Ｈ１とＬＣＤ制御用回路基板２０の長さ寸法Ｈ２とは、略等しく設定されている。
【００４７】
また、本実施形態のＬＣＤ制御用回路基板２０は、４層以上の多層基板２１に、図２に示すように、液晶ディスプレイユニット１０の動作を制御する各種の電子部品４１ａ，４１ｂ，４１ｃ，４１ｄ，４１ｅと、ＦＰＣコネクタ４２と、外部接続コネクタ４３と、を搭載したものである。
【００４８】
多層基板２１に搭載される各種の電子部品４１ａ，４１ｂ，４１ｃ，４１ｄ，４１ｅの内、電子部品４１ａは、ＣＰＵであり、液晶ディスプレイユニット１０とは反対側に位置する多層基板２１の外表面２１ａに搭載されている。電子部品４１ｂは、ＬＣＤドライバであり、液晶ディスプレイユニット１０側に位置する多層基板２１の内表面２１ｂに搭載されている。
【００４９】
多層基板２１に搭載されるＦＰＣコネクタ４２は、液晶ディスプレイユニット１０の裏面に導出されたＦＰＣ１９の先端１９ａを接続するコネクタである。ＦＰＣコネクタ４２は、多層基板２１の内表面２１ｂに搭載されている。
【００５０】
ＦＰＣコネクタ４２は、図３及び図４に示すように、コネクタ本体４２１と、該コネクタ本体４２１に回動可能に取り付けられるケーブル押さえ手段４２２と、を備えている。
【００５１】
コネクタ本体４２１は、ＬＣＤケース１３の底壁部１３ａと対向するＬＣＤ制御用回路基板２０の内表面２１ｂに搭載されている。コネクタ本体４２１は、ＬＣＤケース１３の底壁部１３ａに向かって露出したケーブル接続面４２１ａを有している。そして、ケーブル接続面４２１ａには、ＦＰＣ１９の端部に露出する接続端子パターンを重ね合わせる接続端子４２１ｂが配列されている。
【００５２】
ケーブル押さえ手段４２２は、図３に示す矢印Ｒ１方向に回動可能に、コネクタ本体４２１に結合されている。このケーブル押さえ手段４２２は、図３の矢印Ｒ１方向への回動動作により、図４に示したケーブル押さえ位置Ｐ１と、図３に示したケーブル開放位置Ｐ２と、に位置を切り替え可能である。
【００５３】
本実施形態のケーブル押さえ手段４２２は、図４に示すようにケーブル押さえ位置Ｐ１に位置している状態では、ケーブル接続面４２１ａに載置されたＦＰＣ１９の上に被さって、ＦＰＣ１９の接続端子パターン（不図示）がケーブル接続面４２１ａの接続端子４２１ｂに導通した状態に、ＦＰＣ１９を押さえる。
【００５４】
一方、本実施形態のケーブル押さえ手段４２２は、図３に示すようにケーブル開放位置Ｐ２に位置している状態では、ケーブル接続面４２１ａ上のＦＰＣ１９から離間する方向に回動移動しており、ＦＰＣ１９をケーブル接続面４２１ａから離脱可能にする。
【００５５】
ＬＣＤ制御用回路基板２０は、多層基板２１の内表面２１ｂが液晶ディスプレイユニット１０の裏面と対向するように、液晶ディスプレイユニット１０の裏面に組み付けられる。
【００５６】
多層基板２１に搭載される外部接続コネクタ４３は、外部回路と接続するためのコネクタである。この外部接続コネクタ４３は、多層基板２１の外表面２１ａに搭載されている。また、この外部接続コネクタ４３には、外部回路として、液晶表示ユニット３０の動作に必要な信号を送る信号ケーブルと、給電を行う電源ケーブルと、ＧＮＤケーブルとが接続される。外部接続コネクタ４３は、当該コネクタに接続される外部のＧＮＤケーブルを、後述のＧＮＤパターン２３と導通接続する。
【００５７】
多層基板２１には、液晶ディスプレイユニット１０の裏面に固定するための手段として、２つの取付孔２５１と、２つの位置決め孔２５２と、２つの係止用切欠２５３とが装備されている。
【００５８】
２つの取付孔２５１は、液晶ディスプレイユニット１０の裏面の取付孔１３１に対応する孔で、取付孔１３１に螺着する雄ねじを挿通可能な孔である。
【００５９】
２つの位置決め孔２５２は、液晶ディスプレイユニット１０の裏面の位置決めピン１３２に対応する孔である。２つの位置決め孔２５２は、位置決めピン１３２のピン本体１３２ｂが挿通することで、位置決めを果たす。
【００６０】
２つの係止用切欠２５３は、液晶ディスプレイユニット１０の裏面の係止爪１３３が係合する部位である。
【００６１】
また、本実施形態の場合、多層基板２１の内表面２１ｂには、アース端子６１が装備されている。このアース端子６１は、金属製で、基端が多層基板２１上の接地用パターン（ＧＮＤパターン）の上に半田付けされている。アース端子６１は、ＬＣＤ制御用回路基板２０を液晶ディスプレイユニット１０に組み付けた際に、金属製のベゼル１８の底板１６に弾性接触する筐体接触部を有している。
【００６２】
本実施形態のアース端子６１は、ＬＣＤ制御用回路基板２０を液晶ディスプレイユニット１０に組み付けた際に、筐体接触部が底板１６に弾性接触して、底板１６とＧＮＤパターンとを導通状態にする。
【００６３】
本実施形態の場合、アース端子６１が半田付けされる多層基板２１上のＧＮＤパターンは、外部接続コネクタ４３を介して外部のＧＮＤケーブルに接続される。ＧＮＤパターンの敷設長をできるだけ短くするために、本実施形態では、ＧＮＤパターンを、外部接続コネクタ４３に近接する位置に設けている。
【００６４】
ＬＣＤ制御用回路基板２０を液晶ディスプレイユニット１０の裏面に組み付ける作業は、次の手順で行う。
【００６５】
まず、図２に示すように、液晶ディスプレイユニット１０の裏面とＬＣＤ制御用回路基板２０とを平面状に敷き並べて、ＦＰＣ１９の先端１９ａをＬＣＤ制御用回路基板２０の内表面２１ｂのＦＰＣコネクタ４２に接続する。
【００６６】
次いで、図２の破線Ｌ１の位置でＦＰＣ１９を折り返して、ＬＣＤ制御用回路基板２０の内表面２１ｂを、液晶ディスプレイユニット１０の裏面に重ねる。その時、液晶ディスプレイユニット１０の位置決めピン１３２と、ＬＣＤ制御用回路基板２０の位置決め孔２５２とを位置合わせすることで、図１に示すように、液晶ディスプレイユニット１０の係止爪１３３が、ＬＣＤ制御用回路基板２０の係止用切欠２５３に係合して、ＬＣＤ制御用回路基板２０が液晶ディスプレイユニット１０の裏面に仮止めした状態になる。
【００６７】
次いで、ＬＣＤ制御用回路基板２０の取付孔２５１に挿通させた雄ねじを液晶ディスプレイユニット１０の取付孔１３１にねじ込むことで、ＬＣＤ制御用回路基板２０が液晶ディスプレイユニット１０の裏面に固定され、液晶表示ユニット３０として組立が完了した状態になる。
【００６８】
組立が完了した液晶表示ユニット３０においては、図４及び図５に示すように、規制リブ１３８の先端１３８ａが、ＦＰＣコネクタ４２におけるケーブル押さえ手段４２２に近接していて、ケーブル押さえ手段４２２のケーブル開放位置Ｐ２側（図５の矢印Ｒ２方向）への移動を規制する。
【００６９】
以上に説明した本実施形態の液晶表示ユニット３０では、液晶ディスプレイパネル１１から導出したＦＰＣ１９の先端１９ａが接続されるＬＣＤ制御用回路基板２０のＦＰＣコネクタ４２は、ＬＣＤ制御用回路基板２０の内表面２１Ｂに装備されている。従って、液晶ディスプレイパネル１１とＬＣＤ制御用回路基板２０とを接続するＦＰＣ１９は、互いに対向する液晶ディスプレイパネル１１とＬＣＤ制御用回路基板２０との間に収容され、ＬＣＤ制御用回路基板２０の外表面２１ａ側に露出しないため、ＦＰＣ１９に対する保護性を高めることができる。
【００７０】
また、本実施形態の液晶表示ユニット３０では、ＦＰＣコネクタ４２においてＦＰＣ１９の先端１９ａをコネクタ本体４２１のケーブル接続面４２１ａに押さえるケーブル押さえ手段４２２は、ＬＣＤ制御用回路基板２０が液晶ディスプレイパネル１１の裏面を覆うＬＣＤケース１３の底壁部１３ａの外面に結合された状態では、ＬＣＤケース１３の底壁部１３ａに突設された規制リブ１３８によって、ケーブル開放位置Ｐ２への移動が規制される。そのため、不用意にケーブル押さえ手段４２２がケーブル開放位置Ｐ２へ移動することを防止して、ＦＰＣコネクタ４２における接続信頼性を高めることもできる。
【００７１】
また、本実施形態の液晶表示ユニット３０では、ＬＣＤケース１３の底壁部１３ａの外面とＬＣＤ制御用回路基板２０の内表面２１Ｂとが略同一平面上に隣接して並ぶように液晶ディスプレイユニット１０とＬＣＤ制御用回路基板２０とを隣接させて敷き並べた展開状態で、液晶ディスプレイパネル１１から導出しているＦＰＣ１９を内表面上のＦＰＣコネクタ４２に接続し、その後、展開状態から液晶ディスプレイユニット１０とＬＣＤ制御用回路基板２０とを閉じ合わせると、ＦＰＣ１９の液晶ディスプレイユニット１０の裏面に敷設されている部位１９１の上にＬＣＤ制御用回路基板２０の内表面２１Ｂの上に敷設されているＦＰＣ１９の部位１９３が折り重なって、ＦＰＣ１９が液晶ディスプレイユニット１０とＬＣＤ制御用回路基板２０との間に収容された組立状態になる。即ち、面倒な手間をかけずに、ＦＰＣ１９を液晶ディスプレイユニット１０とＬＣＤ制御用回路基板２０との間に収容することができ、組立時の作業を容易にすることができる。
【００７２】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００７３】
例えば、規制リブは、上記実施形態に示した角柱状の突起に限らず、例えば、三角柱状、又は円柱状又は円錐状の突起にすることも可能である。
また、本発明の液晶表示ユニットの用途は、車載用には限らない。
【００７４】
ここで、上述した本発明に係る液晶表示ユニットの実施形態の特徴をそれぞれ以下［１］〜［２］に簡潔に纏めて列記する。
【００７５】
［１］  液晶ディスプレイパネル（１１）と、該液晶ディスプレイパネル（１１）の裏面側を収容する樹脂製のＬＣＤケース（１３）と、前記液晶ディスプレイパネル（１１）の裏面を覆う前記ＬＣＤケース（１３）の底壁部（１３ａ）の外面に対向配置されて前記液晶ディスプレイパネル（１１）の動作を制御するＬＣＤ制御用回路基板（２０）と、一端が前記液晶ディスプレイパネル（１１）に接続されると共に他端が前記ＬＣＤケース（１３）の前記底壁部（１３ａ）を挿通して前記ＬＣＤ制御用回路基板（２０）上のＦＰＣコネクタ（４２）に接続されるＦＰＣ（１９）と、を備える液晶表示ユニット（３０）であって、
前記ＦＰＣコネクタ（４２）は、
前記ＬＣＤケース（１３）の前記底壁部（１３ａ）と対向する前記ＬＣＤ制御用回路基板（２０）の内表面（２１ｂ）に搭載されるコネクタ本体（４２１）であって、前記ＬＣＤケース（１３）の前記底壁部（１３ａ）に向かって露出したケーブル接続面（４２１ａ）を有すると共に、該ケーブル接続面（４２１ａ）には、前記ＦＰＣ（１９）の端部に露出する接続端子パターンを重ね合わせる接続端子（４２１ｂ）が配列されたコネクタ本体（４２１）と、
前記コネクタ本体（４２１）に回動可能に結合されて、回動動作によりケーブル押さえ位置（Ｐ１）とケーブル開放位置（Ｐ２）とに切り替え可能なケーブル押さえ手段（４２２）であって、前記ケーブル押さえ位置（Ｐ１）では、前記ケーブル接続面（４２１ａ）に載置された前記ＦＰＣ（１９）の上に被さって、前記接続端子パターンが前記接続端子（４２１ｂ）に導通した状態に前記ＦＰＣ（１９）を押さえ、前記ケーブル開放位置（Ｐ２）では、前記ケーブル接続面（４２１ａ）上の前記ＦＰＣ（１９）から離間する方向に回動移動して前記ＦＰＣ（１９）を前記ケーブル接続面（４２１ａ）から離脱可能にするケーブル押さえ手段（４２２）と、
を備え、
前記ＬＣＤケース（１３）の前記底壁部（１３ａ）は、対向配置される前記ＬＣＤ制御用回路基板（２０）上の前記ケーブル押さえ手段（４２２）に向かって突出した規制リブ（１３８）を備え、該規制リブ（１３８）は先端（１３８ａ）が前記ケーブル押さえ位置（Ｐ１）にある前記ケーブル押さえ手段（４２２）に対峙して前記ケーブル押さえ手段（４２２）の前記ケーブル開放位置（Ｐ２）への移動を規制する、
ことを特徴とする液晶表示ユニット（３０）。
【００７６】
［２］  上記［１］に記載の液晶表示ユニット（３０）において、
前記ＬＣＤケース（１３）の前記底壁部（１３ａ）の外面と前記ＬＣＤ制御用回路基板（２０）の前記内表面（２１ｂ）とが略同一平面上に隣接して並ぶように、前記液晶ディスプレイパネル（１１）に前記ＬＣＤケース（１３）を組み付けた組立体である液晶ディスプレイユニット（１０）と前記ＬＣＤ制御用回路基板（２０）とを隣接させて敷き並べた展開状態の時には、前記ＦＰＣ（１９）は、略平面状に展開して先端（１９ａ）が前記内表面（２１ｂ）上のＦＰＣコネクタ（４２）に接続され、
前記展開状態から前記液晶ディスプレイユニット（１０）と前記ＬＣＤ制御用回路基板（２０）とを閉じ合わせると、前記ＦＰＣ（１９）は、前記液晶ディスプレイユニット（１０）の裏面に敷設されている部位（１９１）の上に前記ＬＣＤ制御用回路基板（２０）の前記内表面（２１ｂ）の上に敷設されている部位（１９３）が折り重なって、前記液晶ディスプレイユニット（１０）と前記ＬＣＤ制御用回路基板（２０）との間に収容されることを特徴とする液晶表示ユニット（３０）。
【符号の説明】
【００７７】
１１  液晶ディスプレイパネル
１３  ＬＣＤケース
１３ａ  底壁部
１９  ＦＰＣ
１９１  部位
１９３  部位
２０  ＬＣＤ制御用回路基板
２１ａ  外表面
２１ｂ  内表面
３０  液晶表示ユニット
４２  ＦＰＣコネクタ
１３８  規制リブ
１３８ａ  先端
４２１  コネクタ本体
４２１ａ  ケーブル接続面
４２１ｂ  接続端子
４２２  ケーブル押さえ手段
Ｐ１  ケーブル押さえ位置
Ｐ２  ケーブル開放位置
【図１】
2014115474.tif 000003
【図２】
2014115474.tif 000004
【図３】
2014115474.tif 000005
【図４】
2014115474.tif 000006
【図５】
2014115474.tif 000007
【図６】
2014115474.tif 000008